(57)【要約】【課題】ユーザの嗜好に応じた情報を効率的に提供することが可能な情報処理装置を提供する。【解決手段】評価者の評価情報を評価者毎に管理し、ユーザの評価が同一事物に対する評価者の評価と一致する評価者群を対象に、ユーザが欲する検索条件に当てはまる情報に絞込みを行う構成により提供可能である。【選択図】図１
2008204256.tif 000002
【特許請求の範囲】
【請求項１】
道路地図データを記憶する道路地図データ記憶手段と、
前記道路地図上に目的地を設定する目的地設定手段と、
前記道路地図上に特定される現在位置から設定された前記目的地までの経路を前記道路地図上にて探索・設定する経路探索設定手段と、
前記道路地図データの予め定められたデータ項目について、個々の経路設定事象毎に固有に抽出使用されたデータである設定実績データを設定ユーザ別に登録する設定実績データベースと、
前記目的地を新たに設定しようとするカレントユーザを特定するカレントユーザ特定手段と、
前記設定実績データベース上にて、前記カレントユーザに対応する設定実績データをカレントユーザ実績データとして抽出するとともに、前記データ項目において当該カレントユーザ実績データに対し予め定められた類似度を有する他ユーザの設定実績データを同類ユーザ実績データとして検索・抽出する同類ユーザ実績データ抽出手段と、
抽出された該同類ユーザ実績データの集合を支援ベースデータとして、当該支援ベースデータに基づいて、前記カレントユーザによる当該の目的地設定を支援するための目的地設定支援情報を作成・出力する目的地設定支援情報作成・出力手段と、
を備えることを特徴とする情報管理提供システム。
【請求項２】
前記同類ユーザ実績データ抽出手段は、前記データ項目において前記カレントユーザ実績データと内容的に少なくとも一部が一致する設定実績データを前記同類ユーザ実績データとして抽出するものである請求項１に記載の情報管理提供システム。
【請求項３】
前記経路探索設定手段による経路設定事象毎に、前記データ項目にかかるユーザ評価を入力するユーザ評価入力手段を備え、
前記設定実績データベースにおいて前記設定実績データは入力されたユーザ評価結果を含むものとして登録され、
前記同類ユーザ実績データ抽出手段は、前記データ項目において前記ユーザ評価結果が共通する設定実績データを前記同類ユーザ実績データとして抽出するものである請求項１に記載の情報管理提供システム。
【請求項４】
登録される前記設定実績データの前記データ項目が、設定された前記経路にかかる目的地または経由地として定められてなる請求項１ないし請求項３のいずれか１項に記載の情報管理提供システム。
【請求項５】
同類ユーザ実績データ抽出手段は、前記カレントユーザ実績データと同一の目的地または経由地を１以上含む設定実績データを前記同類ユーザ実績データとして抽出するものである請求項４に記載の情報管理提供システム。
【請求項６】
請求項３に記載の要件を備え、
前記同類ユーザ実績データ抽出手段は、一定レベル以上の評価結果が登録されている目的地または経由地が、前記カレントユーザ実績データと１以上一致する設定実績データを前記同類ユーザ実績データとして抽出するものである請求項４に記載の情報管理提供システム。
【請求項７】
前記道路地図データ記憶手段にて前記目的地または経由地として設定可能な地点名または施設名が、予め定められたカテゴリによって分類された形で前記設定実績データベースに記憶され、
前記目的地設定手段は、前記カテゴリに基づいて前記地点名または施設名の絞り込み検索が可能に構成されてなり、
前記同類ユーザ実績データ抽出手段は、前記カレントユーザが前記目的地設定手段に際して選択したカテゴリにおいて、前記目的地または前記経由地が前記カレントユーザ実績データと１以上一致する設定実績データを前記同類ユーザ実績データとして抽出するものであり、
前記目的地設定支援情報作成・出力手段は、前記支援ベースデータから前記カレントユーザ実績データと一致する目的地または経由地の選択リストを前記目的地設定支援情報として作成し出力するものである請求項６に記載の情報管理提供システム。
【請求項８】
登録される前記設定実績データの前記データ項目が、設定された前記経路を構成する道路データである請求項１ないし請求項７のいずれか１項に記載の情報管理提供システム。
【請求項９】
前記経路探索設定手段は、前記同類ユーザ実績データに含まれる道路データを優先的に用いた経路を、前記道路地図上に特定される現在位置から設定された前記目的地までの推奨ルートとして探索・設定する請求項８に記載の情報管理提供システム。
【請求項１０】
施設についての評価データをユーザ別に登録する施設評価データベースと、
前記施設に関する評価を新たに取得しようとするカレントユーザを特定するカレントユーザ特定手段と、
前記施設評価データベース上にて、前記カレントユーザに対応する施設評価データをカレントユーザ評価データとして抽出するとともに、前記カレントユーザ評価データに対し予め定められた類似度を有する他ユーザの施設評価データを同類ユーザ評価データとして検索・抽出する同類ユーザ評価データ抽出手段と、
抽出された該同類ユーザ評価データの集合を支援ベースデータとして、当該支援ベースデータに基づいて、前記カレントユーザによる当該施設の評価を支援するための評価支援情報を作成・出力する評価支援情報作成・出力手段と、
を備える請求項１ないし請求項９のいずれか１項に記載の情報管理提供システム。
【請求項１１】
前記施設についてのユーザの評価を入力するユーザ評価入力手段を備え、
前記施設評価データベースにおいて、前記施設評価データは入力されたユーザ評価結果を含むものとして登録され、
前記同類ユーザ評価データ抽出手段は、前記ユーザ評価結果が共通する施設評価データを前記同類ユーザ評価データとして抽出するものである請求項１０に記載の情報管理提供システム。
【請求項１２】
前記ユーザ評価入力手段は、前記評価データに含まれる１または複数の評価項目毎にユーザの評価を入力するものであり、
前記同類ユーザ評価データ抽出手段は、前記カレントユーザ評価データと同一の評価結果が登録された評価項目を１以上含む他ユーザの施設評価データを前記同類ユーザ評価データとして抽出するものである請求項１１に記載の情報管理提供システム。
【請求項１３】
前記同類ユーザ評価データ抽出手段は、一定レベル以上の評価結果が登録されている施設において、前記カレントユーザ評価データと一致する他ユーザの施設評価データを前記同類ユーザ評価データとして抽出するものである請求項１１に記載の情報管理提供システム。
【請求項１４】
前記施設は、予め定められたカテゴリによって分類された形で前記施設評価データベースに記憶され、
前記カレントユーザが前記カテゴリを選択するカテゴリ選択手段を備え、
前記評価支援情報作成・出力手段は、前記カレントユーザが選択したカテゴリに含まれる施設で、前記支援ベースデータから、前記カレントユーザ評価データと一致する施設の選択リストを前記評価支援情報として作成し出力するものである請求項１２または請求項１３に記載の情報管理提供システム。
【請求項１５】
前記カレントユーザが前記施設評価データを取得したい施設を選択する施設選択手段を備え、
前記評価支援情報作成・出力手段は、前記支援ベースデータから、前記カレントユーザが選択した施設に対応する施設評価データを前記評価支援情報として作成し出力するものである請求項１２または請求項１３に記載の情報管理提供システム。
【発明の詳細な説明】
【技術分野】
【０００１】
本発明は、ユーザに有益な情報を検索して提供する情報管理提供システムに関するものである。
【背景技術】
【０００２】
口コミ情報は不特定多数の評価者の情報を羅列的に提供するものが多く、ユーザが有効と感じる情報を得るまでに多くの時間を要していた。またその信頼度は必ずしも高いとはいえず、情報によっては想像や広告である可能性も否定できないこともある。そこで、効率的に情報を探すための手段として、評価を数値化し、ユーザが検索条件を設定することによって、情報の絞込みを行う情報評価値付き情報案内システムが提案されている（特許文献１参照）。
【０００３】
【特許文献１】特開平１０−２４７２０１号公報
【発明の開示】
【発明が解決しようとする課題】
【０００４】
特許文献１の構成では、所定の検索条件をユーザが入力し、上記検索条件に基づいてデータベースに対して検索を行い、この検索によって得られた検索結果を出力し、所定の評価要素に基づいて、各検索結果をそれぞれ評価し、各検索結果に評価値を付与し、各検索結果を所定の表示手段に表示させるとともに、各検索結果に評価値を付加して表示させるものではあるが、評価を行ったユーザの嗜好は不明である。つまり、その評価結果が、ユーザの好みと一致しているのかどうかは分からない。そのユーザの好みが少数派に属するものかも知れないからである。また、情報の信頼度については解決されていない。
【０００５】
車両の走行に伴ってＧＰＳ（Global  Positioning  System：全地球測位システム）等により現在位置を検出し、その現在位置を表示装置上に道路地図と共に表示して、出発地から目的地までの適切な経路を設定し、表示装置や音声出力装置などによって案内する車両用ナビゲーション装置は、ユーザの効率的で安全な運転に貢献している。
【０００６】
案内経路を検索する場合、走行履歴からユーザが過去に走行した道路を優先的に選択することは行われているが、その道路がユーザの嗜好に合っているものかどうかは分からない。また、通信ネットワークを介して案内経路検索サーバが検索した案内経路をダウンロードして用いる構成においても、該サーバの検索時にユーザの嗜好が反映されるわけではない。
【０００７】
上記問題を背景として、本発明の課題は、ユーザの嗜好に応じた情報を効率的に提供することが可能な情報管理提供システムを提供することにある。
【課題を解決するための手段および発明の効果】
【０００８】
上記課題を解決するための情報管理提供システムは、道路地図データを記憶する道路地図データ記憶手段と、道路地図上に目的地を設定する目的地設定手段と、道路地図上に特定される現在位置から設定された目的地までの経路を道路地図上にて探索・設定する経路探索設定手段と、道路地図データの予め定められたデータ項目について、個々の経路設定事象毎に固有に抽出使用されたデータである設定実績データを設定ユーザ別に登録する設定実績データベースと、目的地を新たに設定しようとするカレントユーザを特定するカレントユーザ特定手段と、設定実績データベース上にて、カレントユーザに対応する設定実績データをカレントユーザ実績データとして抽出するとともに、データ項目において当該カレントユーザ実績データに対し予め定められた類似度を有する他ユーザの設定実績データを同類ユーザ実績データとして探索・抽出する同類ユーザ実績データ抽出手段と、抽出された該同類ユーザ実績データの集合を支援ベースデータとして、当該支援ベースデータに基づいて、カレントユーザによる当該の目的地設定を支援するための目的地設定支援情報を作成・出力する目的地設定支援情報作成・出力手段と、を備えることを特徴とする。
【０００９】
上記構成によって、予め定められた類似度を有する、すなわち嗜好の似通った他ユーザの設定実績データに基づいてカレントユーザの目的地設定が支援されるので、目的地設定支援情報を取得するまでの時間が短縮されるとともに、カレントユーザの目的地設定支援情報に対する信頼度が向上する。
【００１０】
また、本発明の情報管理提供システムにおける同類ユーザ実績データ抽出手段は、データ項目においてカレントユーザ実績データと内容的に少なくとも一部が一致する設定実績データを同類ユーザ実績データとして抽出するように構成することもできる。
【００１１】
上記構成によって、カレントユーザと嗜好の似通った他ユーザの設定実績データを抽出することが可能となる。
【００１２】
また、本発明の情報管理提供システムは、経路探索設定手段による経路設定事象毎に、データ項目にかかるユーザ評価を入力するユーザ評価入力手段を備え、設定実績データベースにおいて設定実績データは入力されたユーザ評価結果を含むものとして登録され、同類ユーザ実績データ抽出手段は、データ項目においてユーザ評価結果が共通する設定実績データを同類ユーザ実績データとして抽出するように構成することもできる。
【００１３】
ユーザ評価が共通していれば、嗜好も似通っていると見なすことができる。上記構成によって、カレントユーザと嗜好の似通った他ユーザの設定実績データを抽出することが可能となる。また、ユーザの評価は常に一定であるとは限らないので、ユーザ評価を入力可能とすることで、設定実績データを常に最新の状態に保つことができる。
【００１４】
また、本発明の情報管理提供システムは、登録される設定実績データのデータ項目が、設定された経路にかかる目的地または経由地として定められるように構成することもできる。
【００１５】
上記構成によって、経路案内探索時に設定実績データを用いることが可能となる。
【００１６】
また、本発明の情報管理提供システムにおける同類ユーザ実績データ抽出手段は、カレントユーザ実績データと同一の目的地または経由地を１以上含む設定実績データを同類ユーザ実績データとして抽出するように構成することもできる。
【００１７】
カレントユーザ実績データと同一の目的地または経由地が含まれていれば、嗜好も似通っていると見なすことができる。上記構成によって、カレントユーザにとってより有益かつ信頼度の高い目的地設定支援情報を作成・出力することが可能となる。
【００１８】
また、本発明の情報管理提供システムは、経路探索設定手段による経路設定事象毎に、データ項目にかかるユーザ評価を入力するユーザ評価入力手段を備え、設定実績データベースにおいて設定実績データは入力されたユーザ評価結果を含むものとして登録され、同類ユーザ実績データ抽出手段は、データ項目においてユーザ評価結果が共通する設定実績データを同類ユーザ実績データとして抽出するものであって、同類ユーザ実績データ抽出手段は、一定レベル以上の評価結果が登録されている目的地または経由地が、カレントユーザ実績データと１以上一致する設定実績データを同類ユーザ実績データとして抽出するように構成することもできる。
【００１９】
上記構成によっても、カレントユーザにとってより有益かつ信頼度の高い目的地設定支援情報を作成・出力することが可能となる。
【００２０】
また、本発明の情報管理提供システムは、道路地図データ記憶手段にて目的地または経由地として設定可能な地点名または施設名が、予め定められたカテゴリによって分類された形で設定実績データベースに記憶され、目的地設定手段は、カテゴリに基づいて地点名または施設名の絞り込み探索が可能に構成されてなり、同類ユーザ実績データ抽出手段は、カレントユーザが目的地設定手段に際して選択したカテゴリにおいて、目的地または経由地がカレントユーザ実績データと１以上一致する設定実績データを同類ユーザ実績データとして抽出するものであり、目的地設定支援情報作成・出力手段は、支援ベースデータからカレントユーザ実績データと一致する目的地または経由地の選択リストを目的地設定支援情報として作成し出力するように構成することもできる。
【００２１】
上記構成によっても、カレントユーザにとってより有益かつ信頼度の高い目的地設定支援情報を作成・出力することが可能となる。また、予めカテゴリによって絞り込むので、目的地設定支援情報の作成・出力に要する時間も短縮できる。
【００２２】
また、本発明の情報管理提供システムは、登録される設定実績データのデータ項目が、設定された経路を構成する道路データであるように構成することもできる。
【００２３】
上記構成によって、カレントユーザの嗜好に適した道路を目的地設定支援情報として出力することが可能となる。
【００２４】
また、本発明の情報管理提供システムにおける経路探索設定手段は、同類ユーザ実績データに含まれる道路データを優先的に用いた経路を、道路地図上に特定される現在位置から設定された目的地までの推奨ルートとして探索・設定するように構成することもできる。
【００２５】
上記構成によって、カレントユーザの嗜好に適した案内経路を探索し、目的地設定支援情報として出力することが可能となる。
【００２６】
また、本発明の情報管理提供システムは、施設についての評価データをユーザ別に登録する施設評価データベースと、施設に関する評価を新たに取得しようとするカレントユーザを特定するカレントユーザ特定手段と、施設評価データベース上にて、カレントユーザに対応する施設評価データをカレントユーザ評価データとして抽出するとともに、カレントユーザ評価データに対し予め定められた類似度を有する他ユーザの施設評価データを同類ユーザ評価データとして探索・抽出する同類ユーザ評価データ抽出手段と、抽出された該同類ユーザ評価データの集合を支援ベースデータとして、当該支援ベースデータに基づいて、カレントユーザによる当該施設の評価を支援するための評価支援情報を作成・出力する評価支援情報作成・出力手段と、を備えるように構成することもできる。
【００２７】
上記構成によって、ユーザの嗜好に応じた評価支援情報を効率的に提供することが可能となる。
【００２８】
また、本発明の情報管理提供システムは、施設についてのユーザの評価を入力するユーザ評価入力手段を備え、施設評価データベースにおいて、施設評価データは入力されたユーザ評価結果を含むものとして登録され、同類ユーザ評価データ抽出手段は、ユーザ評価結果が共通する施設評価データを同類ユーザ評価データとして抽出するように構成することもできる。
【００２９】
ユーザ評価が共通していれば、嗜好も似通っていると見なすことができる。上記構成によって、カレントユーザと嗜好の似通った他ユーザの施設評価データを抽出することが可能となる。また、ユーザの評価は常に一定であるとは限らないので、ユーザ評価を入力可能な構成とすることで、施設評価データを常に最新の状態に保つことができる。
【００３０】
また、本発明の情報管理提供システムにおけるユーザ評価入力手段は、評価データに含まれる１または複数の評価項目毎にユーザの評価を入力するものであり、同類ユーザ評価データ抽出手段は、カレントユーザ評価データと同一の評価結果が登録された評価項目を１以上含む他ユーザの施設評価データを同類ユーザ評価データとして抽出するように構成することもできる。
【００３１】
カレントユーザ評価データと同一の評価結果が含まれていれば、嗜好も似通っていると見なすことができる。上記構成によって、カレントユーザにとってより有益かつ信頼度の高い評価支援情報を作成・出力することが可能となる。
【００３２】
また、本発明の情報管理提供システムにおける同類ユーザ評価データ抽出手段は、一定レベル以上の評価結果が登録されている施設において、カレントユーザ評価データと一致する他ユーザの施設評価データを同類ユーザ評価データとして抽出するように構成することもできる。
【００３３】
上記構成によっても、カレントユーザにとってより有益かつ信頼度の高い評価支援情報を作成・出力することが可能となる。
【００３４】
また、本発明の情報管理提供システムにおける施設は、予め定められたカテゴリによって分類された形で施設評価データベースに記憶され、カレントユーザがカテゴリを選択するカテゴリ選択手段を備え、評価支援情報作成・出力手段は、カレントユーザが選択したカテゴリに含まれる施設で、支援ベースデータから、カレントユーザ評価データと一致する施設の選択リストを評価支援情報として作成し出力するように構成することもできる。
【００３５】
上記構成によっても、カレントユーザにとってより有益かつ信頼度の高い評価支援情報を作成・出力することが可能となる。また、予めカテゴリによって絞り込むので、評価支援情報の作成・出力に要する時間も短縮できる。
【００３６】
また、本発明の情報管理提供システムは、カレントユーザが施設評価データを取得したい施設を選択する施設選択手段を備え、評価支援情報作成・出力手段は、支援ベースデータから、カレントユーザが選択した施設に対応する施設評価データを評価支援情報として作成し出力するように構成することもできる。
【００３７】
上記構成によって、カレントユーザが選択した施設に対して、カレントユーザにとってより有益かつ信頼度の高い評価支援情報を作成・出力することが可能となる。
【発明を実施するための最良の形態】
【００３８】
以下、本発明の情報管理提供システムを、図面を参照しながら説明する。図１に情報管理提供システムの構成図を示す。情報管理提供システムは、データベース（ＤＢ）サーバ２０１を含むセンタ２００，車両用ナビゲーション装置（以下、ナビゲーション装置と略称）１００，およびパーソナルコンピュータ３００を含んで構成される。パーソナルコンピュータ３００を含む構成については、車両用ナビゲーション装置１００を含む構成の変形例となるので、概略は後で述べる。
【００３９】
図２に示すように、ＤＢサーバ２０１は、周知のパーソナルコンピュータあるいはワークステーションとして構成され、ＨＤＤ（Hard  Disk  Drive）２０３，通信ユニット２０４，表示部２０５，操作部２０６，およびこれらが接続された制御回路２０２を備えている。
【００４０】
ＨＤＤ２０３には、ＤＢサーバ２０１を作動させるオペレーティングシステム（ＯＳ）として機能するＯＳプログラム２０３ｓと、ＯＳ上で動作するアプリケーションプログラム２０３ｐと、データベース（ＤＢ）２０３ｄ（詳細は後述）等が記憶されている。なお、データベース２０３ｄが本発明の設定実績データベース，施設評価データベースに相当する。
【００４１】
通信ユニット２０４は、ナビゲーション装置１００と直接、あるいはインターネット等の通信ネットワークを介して通信を行うためのもので、例えば、周知の無線通信機あるいはネットワーク接続装置として構成される。なお、通信ユニット２０４が本発明の評価支援情報作成・出力手段に相当する。
【００４２】
表示部２０５は、液晶ディスプレイやＣＲＴディスプレイ等の表示器により構成される。操作部２０６は、マウス等のポインティングデバイスやキーボードなどの操作手段により構成される。
【００４３】
制御回路２０２は、ＣＰＵ２０２ａ，ＲＯＭ２０２ｂ，ＲＡＭ２０２ｃ，入出力インターフェース（Ｉ／Ｏ）２０２ｄおよびこれらの構成を接続するバスライン２０２ｅを備えている。ＣＰＵ２０２ａは、ＨＤＤ２０３に記憶されたＯＳプログラム２０３ｓに基づいて制御を行う。ＯＳプログラム２０３ｓは、ＲＡＭ２０２ｃ上にてＯＳ用ワークメモリ２０２ｓを作業領域とする形で実行される。また、アプリケーションプログラム２０３ｐは、ＲＡＭ２０２ｃ上においてアプリケーション用ワークメモリ２０２ｐを作業領域とする形で実行される。
【００４４】
なお、制御回路２０２が本発明の同類ユーザ実績データ抽出手段，目的地設定支援情報作成・出力手段，同類ユーザ評価データ抽出手段，評価支援情報作成・出力手段に相当する。
【００４５】
図３に、ナビゲーション装置１００のブロック図を示す。ナビゲーション装置１００は、位置検出器１，地図データ入力器６，操作スイッチ群７，リモートコントロール（以下リモコンと称する）センサ１１，音声案内などを行う音声合成回路２４，スピーカ１５，メモリ９，表示器１０，送受信機１３，ハードディスク装置（ＨＤＤ）２１，ＬＡＮ(Local  Area  Network)  Ｉ／Ｆ（インターフェース）２６，これらの接続された制御回路８，リモコン端末１２等を備えている。
【００４６】
位置検出器１は、周知の地磁気センサ２，車両の回転角速度を検出するジャイロスコープ３，車両の走行距離を検出する距離センサ４，および衛星からの電波に基づいて車両の位置を検出するＧＰＳ受信機５を有している。これらのセンサ等２，３，４，５は各々が性質の異なる誤差を持っているため、複数のセンサにより各々補完しながら使用するように構成されている。なお、精度によっては前述したうちの一部のセンサで構成してもよく、さらに、ステアリングの回転センサ（図示せず）や各転動輪の車輪センサ例えば車速センサ２３等を用いてもよい。
【００４７】
操作スイッチ群７は、例えば表示器１０と一体になったタッチパネル２２もしくはメカニカルなスイッチが用いられる。タッチパネル２２は、表示器１０の画面上にガラス基盤と透明なフィルムにスペーサと呼ばれる隙間を介してＸ軸方向、Ｙ軸方向に電気回路が配線され、フィルム上をユーザがタッチすると、押された部分の配線がショートして電圧値が変わるため、これを２次元座標値（Ｘ，Ｙ）として検出する、いわゆる抵抗膜方式が広く用いられる。その他に、周知のいわゆる静電容量方式を用いてもよい。メカニカルスイッチの他に、マウスやカーソル等のポインティングデバイスを用いてもよい。
【００４８】
また、マイク３１および音声認識ユニット３０を用いて種々の指示を入力することも可能である。これは、マイク３１から入力された音声信号を、音声認識ユニット３０において周知の隠れマルコフモデル等の音声認識技術により処理を行い、その結果に応じた操作コマンドに変換するものである。これら、本発明の目的地設定手段，経路探索設定手段，カレントユーザ特定手段，ユーザ評価入力手段，カテゴリ選択手段，施設選択手段に相当する、操作スイッチ群７，リモコン端末１２，タッチパネル２２，およびマイク３１により、種々の指示を入力することが可能である。
【００４９】
送受信機１３は、例えば道路に沿って設けられた送信機（図示せず）から出力される光ビーコン、または電波ビーコンによってＶＩＣＳ（Vehicle  Information  and  Communication  System：道路交通情報通信システム，登録商標）センタ１４から道路交通情報を受信、あるいはＦＭ多重放送を受信するための装置である。また、送受信機１３を用いてインターネット等の外部ネットワークに接続可能な構成としてもよい。
【００５０】
また、ＥＴＣ車載器１７と通信することにより、ＥＴＣ車載器１７が路側器（図示せず）から受信した料金情報などをナビゲーション装置１００に取り込むことができる。また、ＥＴＣ車載器１７によって外部ネットワークと接続し、ＶＩＣＳセンタ１４等との通信を行う構成をとってもよい。
【００５１】
制御回路８には、周知のＣＰＵ８１，ＲＯＭ８２，ＲＡＭ８３，入出力回路であるＩ／Ｏ８４，Ａ／Ｄ変換部８６，描画部８７，時計ＩＣ８８，およびこれらの構成を接続するバスライン８５が備えられている。ＣＰＵ８１は、ＨＤＤ２１に記憶されたナビプログラム２１ｐおよびデータにより制御を行う。また、ＨＤＤ２１へのデータの読み書きの制御はＣＰＵ８１によって行われる。また、ＣＰＵ８１からＨＤＤ２１に対してデータの読み書きの制御ができなくなった場合のために、ＲＯＭ８２にナビゲーション装置１００として必要最低限の動作を行うためのプログラムを記憶しておいてもよい。
【００５２】
Ａ／Ｄ変換部８６は周知のＡ／Ｄ（アナログ／デジタル）変換回路を含み、例えば位置検出器１などから制御回路８に入力されるアナログデータをＣＰＵ８１で演算可能なデジタルデータに変換するものである。
【００５３】
描画部８７は、ＨＤＤ２１等に記憶された道路地図データ２１ｍ（後述），表示用のデータや表示色のデータから表示器１０に表示させるための表示画面データを生成する。
【００５４】
時計ＩＣ８８はリアルタイムクロックＩＣとも呼ばれ、ＣＰＵ８１からの要求に応じて時計・カレンダーのデータを送出あるいは設定するものである。ＣＰＵ８１は時計ＩＣ８８から日時情報を取得する。また、ＧＰＳ受信機５で受信したＧＰＳ信号に含まれる日時情報を用いてもよい。また、ＣＰＵ８１に含まれるリアルタイムカウンタを基にして日時情報を生成してもよい。
【００５５】
ＨＤＤ２１には、ナビプログラム２１ｐの他に位置検出の精度向上のためのいわゆるマップマッチング用データ、道路の接続を表した道路データを含む地図データベースである道路地図データ２１ｍが記憶される。道路地図データ２１ｍは、表示用となる所定の地図画像情報を記憶するとともに、リンク情報やノード情報等を含む道路網情報を記憶する。リンク情報は、各道路を構成する所定の区間情報であって、位置座標，距離，所要時間，道幅，車線数，制限速度等から構成される。また、ノード情報は、交差点（分岐路）等を規定する情報であって、位置座標，右左折車線数，接続先道路リンク等から構成される。また、リンク間接続情報には、通行の可不可を示すデータなどが設定されている。なお、道路地図データ２１ｍが本発明の道路地図データ記憶手段に相当する。
【００５６】
また、ＨＤＤ２１には経路案内の補助情報や娯楽情報、その他にユーザが独自にデータを書き込むことができ、ユーザデータ２１ｕとして記憶される。また、ナビゲーション装置１００の動作に必要なデータや各種情報はデータベース２１ｄとしても記憶される。
【００５７】
ナビプログラム２１ｐ，道路地図データ２１ｍ，ユーザデータ２１ｕ，およびデータベース２１ｄは、地図データ入力器６を介して記憶媒体２０からそのデータの追加・更新を行うことが可能である。記憶媒体２０は、そのデータ量からＣＤ−ＲＯＭやＤＶＤを用いるのが一般的であるが、例えばメモリカード等の他の媒体を用いてもよい。また、外部ネットワークを介してデータをダウンロードする構成を用いてもよい。
【００５８】
メモリ９はＥＥＰＲＯＭ（Electrically  Erasable  ＆  Programmable  Read  Only  Memory：電気的消去・プログラム可能・読出し専用メモリ）やフラッシュメモリ等の書き換え可能なデバイスによって構成され、ナビゲーション装置１００の動作に必要な情報およびデータが記憶されている。なお、メモリ９は、ナビゲーション装置１００がオフ状態になっても記憶内容が保持されるようになっている。また、メモリ９の代わりにナビゲーション装置１００の動作に必要な情報およびデータをＨＤＤ２１に記憶してもよい。さらに、ナビゲーション装置１００の動作に必要な情報およびデータをメモリ９とＨＤＤ２１に分けて記憶してもよい。
【００５９】
表示器１０は周知のカラー液晶表示器で構成され、ドット・マトリックスＬＣＤ（Liquid  Crystal  Display）およびＬＣＤ表示制御を行うための図示しないドライバ回路を含んで構成されている。ドライバ回路は、例えば、画素毎にトランジスタを付けて目的の画素を確実に点灯させたり消したりすることができるアクティブマトリックス駆動方式が用いられ、制御回路８（描画部８７）から送られる表示指令および表示画面データに基づいて表示を行う。また、表示器１０として有機ＥＬ（ElectroLuminescence：電界発光）表示器，プラズマ表示器を用いてもよい。なお、表示器１０が本発明の評価支援情報作成・出力手段に相当する。
【００６０】
スピーカ１５は周知の音声合成回路２４に接続され、ナビプログラム２１ｐの指令によってメモリ９あるいはＨＤＤ２１に記憶されるデジタル音声データが音声合成回路２４においてアナログ音声に変換されたものが送出される。なお、音声合成の方法には、音声波形をそのままあるいは符号化して蓄積しておき必要に応じて繋ぎ合わせる録音編集方式、文字入力情報からそれに対応する音声を合成するテキスト合成方式などがある。
【００６１】
車速センサ２３は周知のロータリエンコーダ等の回転検出部を含み、例えば車輪取り付け部付近に設置されて車輪の回転を検出してパルス信号として制御回路８に送るものである。制御回路８では、その車輪の回転数を車両の速度に換算して、車両の現在位置から所定の場所までの予想到達時間を算出したり、車両の走行区間毎の平均車速を算出する。
【００６２】
通信ユニット２５は周知の無線送受信機として構成され、センタ２００（ＤＢサーバ２０１）やインターネット等の公衆通信網と接続するために用いる。また、通信ユニット２５を携帯電話機等の携帯通信端末（図示せず）を接続してデータ通信を行うための、携帯通信端末と制御回路８との間のインターフェース回路として構成してもよい。
【００６３】
ＬＡＮ  Ｉ／Ｆ２６は車内ＬＡＮ２７を介して他の車載機器やセンサとのデータの遣り取りを行うためのインターフェース回路である。また、ＬＡＮ  Ｉ／Ｆ２６を介して車速センサ２３からのデータ取り込み、あるいはＥＴＣ車載器１７との接続を行ってもよい。
【００６４】
このような構成を持つことにより、ナビゲーション装置１００は、制御回路８のＣＰＵ８１によりナビプログラム２１ｐが起動されると、ユーザが操作スイッチ群７，タッチパネル２２，リモコン端末１２の操作、あるいはマイク３１からの音声入力によって、表示器１０上に表示されるメニューから目的地経路を表示器１０に表示させるための経路案内処理を選択した場合、次のような処理を実施する。
【００６５】
すなわち、まず、ユーザは目的地を探索する。目的地の探索方法は、例えば、地図上の任意の地点を指定する方法，目的地の所在する地域から探索する方法，目的地の電話番号から探索する方法，五十音表から目的地の名称を入力して探索する方法，あるいはユーザがよく利用する施設としてメモリ９に記憶されているものから探索する方法などがある。目的地が設定されると、位置検出器１により車両の現在位置が求められ、該現在位置を出発地として目的地までの最適な案内経路を求める処理が行われる。そして、表示器１０上の道路地図に案内経路を重ねて表示し、ユーザに適切な経路を案内する。また、表示器１０およびスピーカ１５の少なくとも一方によって、操作時のガイダンスや動作状態に応じたメッセージの報知を行う。
【００６６】
このような自動的に最適な案内経路を設定する手法は、ダイクストラ法等の手法が知られている。上記案内経路の探索時における経路の各ノードのコストおよび各リンクのコストは、経路データにおけるノード情報およびリンク情報に基づいて計算により求められ、そのノードのコストはＲＡＭ８３に一時記憶される。ノードコストは、ノードを直進して通過する場合、交差点で右左折する場合等の、それぞれの走行状況について、所定値に道路種別，道幅，右左折の角度等に応じた係数を乗じる掛け算によって求められる。
【００６７】
また、リンクコストは、次式を用いて計算される。リンクコスト＝リンク長×道幅係数×道路種別係数×道路左右係数。ここで、道幅係数と道路種別係数は、制御回路８によってリンク情報から得られる道幅，道路種別に応じて所定の値に設定される。道路左右係数は、目的地が右側か左側にあるかの係数で目的地と道路の関係で算出され設定される。そして、出発地（現在地）から目的地へ向けて、次に到達できる交差点（ノード）までの道路（リンク）の探索およびそのコスト（評価値）の計算を順次行っていき、目的地までが最小コストとなる経路（リンク列）を選択する。
【００６８】
図４を用いて、本発明における同類ユーザの概念について説明する。ＤＢサーバ２０１では、事物に対して複数の評価者が評価した結果をデータベース（ＤＢ２０３ｄ）に登録して管理する。例えば、評価者Ａは事物ａ，ｂ，ｃ，ｅを（１，１，０，１）と評価し（ｄは未評価）、評価者Ｂが事物ａ，ｃ，ｄを（０，１，１）と評価した（ｂ，ｅは未評価）とする。１は肯定的あるいは積極的評価で、０は否定的あるいは消極的評価である。これらの評価結果がデータベースに登録される。評価者Ａ，Ｂが他ユーザに相当する。
【００６９】
ここで、事物ａ，ｃを（１，０）と評価（ｂ，ｄ，ｅは未評価）するユーザ（カレントユーザに相当）が、評価が１となる事物を検索した場合、事物ａ，ｃを（１，０）と評価した評価者群およびその評価データが抽出される。図４の例では、評価者Ａが抽出され、その検索結果として事物ａ，ｂ，ｅが出力される。これは（ａ，ｃ）を（０，１）と評価している評価者Ｂはユーザの嗜好と一致しないため、その評価を信頼しないことを意味する。このことにより情報の絞込みができるため、ユーザは所望の情報を短時間で入手でき、またユーザ自らが評価していない事物ｂを、自分の嗜好に合った情報として入手することができる。
【００７０】
またユーザが事物ｃの評価情報を入手したい場合、評価の一致する評価者群の事物ｃに対する評価として良い評価、悪い評価の両方を得ることができる。また事物ｃより上位の評価がされている事物ｅの情報を提供することもできる。またユーザが事物ｃの評価情報を入手したい場合、評価の一致する評価者群（評価者Ａが含まれる）だけでなく、評価の一致しない評価者群（評価者Ｂが含まれる）の事物ｃに対する評価も、反対意見としてユーザに提供することができる。
【００７１】
評価者群は複数となり得るので、ユーザとの評価の一致度合いで昇順にユーザに提供することが望ましい。これは単純な判定としては、一致する事物の個数が挙げられる。評価尺度が２値でなく、例えば１０段階評価であるような場合は、その差が少ない順に一致度が高いと判定する。一つの事物について複数の評価項目がある場合は、評価項目毎に一致度を見る。あるいは総合評価だけで判定してもよい。
【００７２】
また、事物はカテゴリに分類できる。したがって検索対象をカテゴリで絞り込んだ後に、上記の検索を行うことで更に精度を高めることができる。カテゴリとは例えば、「食事」，「スポーツ施設」、あるいは「和食店」，「洋食店」といった「食事」をさらに細分したカテゴリでもよい。
【００７３】
また、本発明は事物を施設に限らず、人が評価するあらゆる事物に適用できる。例えば、車両用ナビゲーション装置において、ドライバが通る道路はドライバが評価した結果といえる。したがって、ある目的地に向って通行する道路はドライバによって良い評価を与えられたと考えられ、通行しない道路は悪い評価を与えられたと考えることができる。
【００７４】
そして、あるユーザが目的地を設定した場合、そのユーザが過去に目的地として設定した地点に向けて通る道路と、ＤＢ（２０３ｄ）に格納された同一地点（あるいはその近傍）に向けて他のドライバ（評価者）が通った道路の一致度合いから、評価の一致するドライバ群（評価者群）から今回の目的地へ向けて評価の高い道路を選択して経路案内することで、ユーザの嗜好に合った道路を案内することができる。このとき、自宅が目的地の近隣にあるドライバの評価を優先的に用いることで、更に信頼度の高い案内経路を提供することも可能である。
【００７５】
図５〜図１０を用いて、施設についての評価データを登録する施設評価データ登録処理について説明する。なお、本処理はナビプログラム２１ｐに含まれ、ナビプログラム２１ｐの他の処理とともに繰り返し実行される。まず、表示器１０において、図示しないメニュー画面から図６のような施設評価メニュー画面を表示させる（Ｓ１１）。次いで、「ユーザＩＤ」ボタンを押下し、ユーザＩＤを入力する（Ｓ１２）。パスワードを用いてもよいし、ユーザＩＤ入力を行わずに、予めＲＯＭ８２あるいはメモリ９に記憶されている、ナビゲーション装置１００を個別に識別可能な装置ＩＤを用いてもよい。
【００７６】
ユーザＩＤ入力が正しく行われると図６の表示画面に戻る。ここで、「施設評価登録」ボタンを押下すると、図７のような施設のカテゴリを選択する画面が表示されるので、施設カテゴリを選択する（Ｓ１３）。ステップＳ１３をスキップして、施設カテゴリの選択を行わない構成でもよい。
【００７７】
次に、図８のような画面が表示されるので、評価を行う施設を選択する（Ｓ１４）。施設の選択方法は、上述の目的地を設定する際の方法に準ずる。
【００７８】
次に、図９のような画面が表示されるので、選択した施設Ａに対する評価を入力する（Ｓ１５）。評価は、評価項目毎に評価値を入力する方法、あるいは施設全体の評価値を入力する方法のいずれを用いてもよい。評価値は、例えば１〜５またはＡ〜Ｅのような予め定められた評価レベル値を用いる方法、あるいは「良い」，「普通」，「悪い」といった評価語句を用いる方法のいずれでもよい。
【００７９】
最後に、図９の表示画面で、「登録」ボタンを押下すると、通信ユニット２５を介してＤＢサーバ２０１と通信が行われ、施設評価データがユーザＩＤあるいはナビゲーション装置１００の装置ＩＤ等のユーザを特定可能なデータとともにＤＢサーバ２０１に送信される（Ｓ１６）。
【００８０】
ＤＢサーバ２０１では、施設評価データをユーザ（評価者）毎にＤＢ２０３に記憶する。なお、本処理はアプリケーションプログラム２０３ｐに含まれる。図１０に施設評価データの記憶内容の一例を示す。施設評価データの登録日時を含めてもよい。
【００８１】
図１１を用いて、施設リスト表示処理について説明する。なお、本処理はナビプログラム２１ｐに含まれ、ナビプログラム２１ｐの他の処理とともに繰り返し実行される。まず、図６のような施設評価画面を表示させ（Ｓ３１）、「ユーザＩＤ」ボタンを押下し、ユーザＩＤを入力する（Ｓ３２）。
【００８２】
ユーザＩＤ入力が正しく行われると図６の表示画面に戻る。ここで、「施設リスト」ボタンを押下する。このとき、図７のような施設カテゴリを選択する画面が表示されるので、例えば、「買い物」ボタンを押下する（Ｓ３３）。この後、通信ユニット２５を介してＤＢサーバ２０１と通信が行われ、施設リスト要求データがユーザＩＤあるいはナビゲーション装置１００の装置ＩＤ等のユーザを特定可能なデータとともにＤＢサーバ２０１に送信される（Ｓ３４）。
【００８３】
施設カテゴリを選択した後に、図示しない「要求」ボタンを押下した後に、施設リスト要求をＤＢサーバ２０１に送信するようにしてもよい。
【００８４】
施設リスト要求を受信したＤＢサーバ２０１では、施設リストが作成・出力される（Ｓ３５，後述）。
【００８５】
そして、ＤＢサーバ２０１から施設リストを受信する（Ｓ３６）。最後に、表示器１０に施設リストを表示する（Ｓ３７）。図１３に、施設リスト表示画面の一例を示す。
【００８６】
図１２を用いて、施設の評価情報リスト表示処理について説明する。なお、本処理はナビプログラム２１ｐに含まれ、ナビプログラム２１ｐの他の処理とともに繰り返し実行される。まず、図６のような施設評価画面を表示させ（Ｓ５１）、「ユーザＩＤ」ボタンを押下し、ユーザＩＤを入力する（Ｓ５２）。
【００８７】
ユーザＩＤ入力が正しく行われると図６の表示画面に戻る。ここで、「評価情報リスト」ボタンを押下する。このとき、図７のような施設カテゴリを選択する画面が表示されるので、例えば、「買い物」ボタンを押下する（Ｓ５３）。
【００８８】
次に、図８のような施設を選択する画面が表示されるので、評価情報リストが必要な施設を選択する（Ｓ５４）。施設の選択方法は図５のステップＳ１４と同様である。施設が選択されると、通信ユニット２５を介してＤＢサーバ２０１と通信が行われ、評価情報リスト要求データがユーザＩＤあるいはナビゲーション装置１００の装置ＩＤ等のユーザを特定可能なデータとともにＤＢサーバ２０１に送信される（Ｓ５５）。
【００８９】
評価情報リスト要求を受信したＤＢサーバ２０１では、評価情報リストが作成・出力される（Ｓ５６，後述）。
【００９０】
そして、ＤＢサーバ２０１から評価情報リストを受信する（Ｓ５７）。最後に、表示器１０に評価情報リストを表示する（Ｓ５８）。図１４に、評価情報リスト表示画面の一例を示す。評価情報リストの表示形態は、グラフ表示でもリスト表示でもよい。
【００９１】
図１５を用いて、図１１のステップＳ３５および図１２のステップＳ５６に相当し、ＤＢサーバ２０１のアプリケーションプログラム２０３ｐに含まれる施設評価リスト作成・出力処理について説明する。まず、ナビゲーション装置１００から、施設評価リストあるいは評価情報リスト要求データと、ユーザＩＤあるいはナビゲーション装置１００の装置ＩＤ等のユーザを特定可能なデータとを受信する（Ｓ７１）。
【００９２】
次に、受信したユーザＩＤに対応するユーザの施設評価データ（カレントユーザ評価データ）に対し、例えばユーザ評価結果が共通するような、予め定められた類似度を有する他ユーザ（評価者）の施設評価データを同類ユーザ評価データとして抽出し、これを支援ベースデータとする（Ｓ７２）。同類ユーザ評価データの抽出は以下のように行う。
（１）カレントユーザ評価データと同一の評価結果が登録された評価項目を１以上含む他ユーザの施設評価データを同類ユーザ評価データとして抽出する。
（２）例えば、「Ｂランク」以上あるいは「良い」以上のような、一定レベル以上の評価結果が登録されている施設において、カレントユーザ評価データと一致する他ユーザの施設評価データを同類ユーザ評価データとして抽出する。
【００９３】
次いで、その支援ベースデータから、以下のように検索を行う（Ｓ７３）。
（１）施設評価リストが要求された場合は、そのカテゴリに含まれる施設を検索する。
（２）評価情報リストが要求された場合は、その施設についての評価値が含まれているものを検索する。
【００９４】
そして、検索結果を、例えば評価の良い順にソートして、リストあるいはグラフを作成する（Ｓ７４）。最後に、作成されたリストあるいはグラフを、評価支援情報としてナビゲーション装置１００に送信する（Ｓ７５）。
【００９５】
図１６を用いて、案内経路についての評価データを登録する案内経路評価データ登録処理について説明する。なお、本処理はナビプログラム２１ｐに含まれ、ナビプログラム２１ｐの他の処理とともに繰り返し実行される。まず、図６の表示画面あるいは別の図示しないメニュー画面において「ユーザＩＤ」ボタンを押下し、ユーザＩＤを入力する（Ｓ９１）。
【００９６】
次に、表示器１０に地図を表示させる（Ｓ９２）。次いで、図示しない「目的地設定」ボタンを押下する（Ｓ９３）。このとき、表示器１０に表示された地図の中心座標が目的地として設定される（Ｓ９４）。目的地の設定は、上述した他の方法によって行ってもよい。
【００９７】
出発地（位置検出器１で検出される車両の現在位置でもよい）および目的地の設定が終わると、図１７のような画面が表示されるので、「ローカル検索」ボタンを押下して、ナビゲーション装置１００の案内経路検索機能を用いて案内経路を計算する（Ｓ９５）。そして、その案内経路計算結果に基づいて経路案内を実施する（Ｓ９６）。
【００９８】
最後に、経路案内の途中あるいは目的地に到着して経路案内を終了する際に、図１８のような案内経路（あるいは実際に走行した経路）をデータベース（ＤＢ２０３ｄ）に登録するか否かを問い合せるメッセージが表示されるので、登録したい場合は「登録する」ボタンを押下する（Ｓ９７）。このとき、図１９のように、道路区間毎，経由地，目的地の評価を入力できるようにしてもよい。この後、案内経路（リンク列）とユーザあるいはナビゲーション装置１００を識別するデータとが、ＤＢサーバ２０１に送信され、ＤＢサーバ２０１では、受信したデータをユーザ（評価者）毎にＤＢ２０３ｄにカレントユーザ設定実績データとして記憶する。
【００９９】
図２０にＤＢ２０３ｄにおける案内経路の記憶内容（設定実績データベース）の一例を示す。案内経路は道路区間（リンクでもよい）毎にＩＤが付与されて記憶される。道路区間の他に、経由地（ノードでもよい），道路区間に含まれる目印となる施設を記憶してもよい。このとき、経由地，目的地をカテゴリ別に分類して記憶してもよい。また、案内経路の登録日時を含めてもよい。
【０１００】
図２１を用いて、目的地設定支援情報を用いた経路案内処理について説明する。なお、本処理はナビプログラム２１ｐに含まれ、ナビプログラム２１ｐの他の処理とともに繰り返し実行される。まず、図１６のステップＳ９１〜Ｓ９４と同様の方法で目的地を設定する（Ｓ１１１〜Ｓ１１４）。
【０１０１】
出発地（位置検出器１で検出される車両の現在位置でもよい）および目的地の設定が終わると、図１７のような画面が表示されるので、「センタで検索」ボタンを押下する。このとき、ナビゲーション装置１００から、出発地，目的地，およびユーザあるいはナビゲーション装置１００を識別するデータが、センタ２００のＤＢサーバ２０１に送信される（Ｓ１１５）。
【０１０２】
上記を受信したＤＢサーバ２０１では、そのデータに基づいて案内経路が計算・出力される（Ｓ１１６，後述）。
【０１０３】
ナビゲーション装置１００は、センタ２００のＤＢサーバ２０１から案内経路を受信すると（Ｓ１１７）、その案内経路に基づいて経路案内を実施する（Ｓ１１８）。
【０１０４】
最後に、経路案内の途中あるいは目的地に到着して経路案内を終了する際に、図１８のような案内経路（あるいは実際に走行した経路）をデータベースに登録するか否かを問い合せるメッセージが表示されるので、登録したい場合は「登録する」ボタンを押下する（Ｓ１１９）。このときの動作は、図１６のステップＳ９７の処理と同様である。
【０１０５】
図２２を用いて、図２１のステップＳ１１６に相当する、ＤＢサーバ２０１のアプリケーションプログラム２０３ｐに含まれる経路計算処理について説明する。まず、ナビゲーション装置１００から、上述のような案内経路計算要求を受信する（Ｓ１３１）。
【０１０６】
次に、ＤＢ２０３ｄの設定実績データベース上において、受信したユーザＩＤ（カレントユーザ）に対応する設定実績データをカレントユーザ実績データとして抽出するとともに、データ項目において当該カレントユーザ実績データに対し予め定められた類似度を有する他ユーザの設定実績データを同類ユーザ実績データとして検索・抽出し、これを支援ベースデータとする（Ｓ１３２）。
【０１０７】
同類ユーザ評価データの実績は以下のように行う。
（１）ユーザ評価結果が共通する設定実績データを同類ユーザ実績データとして抽出する。つまり、走行道路，出発地，目的地のうちの一つ以上が一致する他ユーザの設定実績データを抽出する。
（２）例えば、走行道路等に、「Ｂランク」以上あるいは「良い」以上のような、一定レベル以上の評価結果が登録されている目的地または経由地が、カレントユーザ実績データと１以上一致する設定実績データを抽出する。
【０１０８】
また、上記で抽出された支援ベースデータに含まれる他ユーザを、上述の同類ユーザに含まれるか否かによって絞り込んでもよい。
【０１０９】
そして、その支援ベースデータに含まれる走行道路（図２０参照）のコストを、道路地図データ２１ｍに記憶されている該当走行道路に対応するリンクのコストよりも低くする（Ｓ１３３）。
【０１１０】
同類ユーザ実績データの検索・抽出を行わず、設定実績データベース上の、他ユーザのより多くが利用している走行道路のコストをより低くするようにしてもよい。
【０１１１】
そして、出発地から目的地までの案内経路の候補を探索し（Ｓ１３４）、先に低くしたコストを用いて各候補の経路コストを計算する（Ｓ１３５）。最後に、経路コストの最小の案内経路を推奨ルートとして決定し、目的地設定支援情報としてナビゲーション装置１００に送信する（Ｓ１３６）。
【０１１２】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【０１１３】
例えば、図１のようにナビゲーション装置１００の代わりにパーソナルコンピュータ（以下、ＰＣと略称）３００を用いることができる。ＰＣ３００に位置検出器１，道路地図データ２１ｍ，ナビプログラム２１ｐ，通信ユニット２５等を含む構成とすれば、施設評価データの登録，施設リストの表示，評価情報リストの表示，案内経路の登録，ＤＢサーバ２０１からの案内経路の受信を行うことが可能となる。つまり、ＰＣ３００等の持ち運び可能な携帯端末があれば、車両で移動しない場合でも目的地設定支援情報あるいは評価支援情報を取得することができる。
【図面の簡単な説明】
【０１１４】
【図１】情報管理提供システムの構成を示すブロック図。
【図２】ＤＢサーバの構成を示すブロック図。
【図３】車両用ナビゲーション装置の構成を示すブロック図。
【図４】本発明における同類ユーザの概念について説明する図。
【図５】施設評価データ登録処理を説明するフロー図。
【図６】施設評価データ登録処理における画面表示例を示す図。
【図７】図６に続く、施設評価データ登録処理における画面表示例を示す図。
【図８】図７に続く、施設評価データ登録処理における画面表示例を示す図。
【図９】図８に続く、施設評価データ登録処理における画面表示例を示す図。
【図１０】施設評価データの記憶内容の一例を示す図。
【図１１】施設リスト表示処理を説明するフロー図。
【図１２】評価情報リスト表示処理を説明するフロー図。
【図１３】施設リストの表示画面例を示す図。
【図１４】評価情報リストの表示画面例を示す図。
【図１５】施設リスト作成・出力処理を説明するフロー図。
【図１６】案内経路評価データ登録処理を説明するフロー図。
【図１７】案内経路探索時の表示画面例を示す図。
【図１８】案内経路登録時の表示画面例を示す図。
【図１９】案内経路の評価入力時の表示画面例を示す図。
【図２０】案内経路の記憶内容の一例を示す図。
【図２１】目的地設定支援情報を用いた経路案内処理を説明するフロー図。
【図２２】ＤＢサーバにおける経路計算処理を説明するフロー図。
【符号の説明】
【０１１５】
１    位置検出器
７    操作スイッチ群（目的地設定手段，経路探索設定手段，カレントユーザ特定手段，ユーザ評価入力手段，カテゴリ選択手段，施設選択手段）
８    制御回路
１０    表示器（評価支援情報作成・出力手段）
１２    リモコン端末（目的地設定手段，経路探索設定手段，カレントユーザ特定手段，ユーザ評価入力手段，カテゴリ選択手段，施設選択手段）
１５    スピーカ
２１    ハードディスク装置（ＨＤＤ）
２１ｄ  データベース
２１ｍ  道路地図データ（道路地図データ記憶手段）
２２    タッチパネル（目的地設定手段，経路探索設定手段，カレントユーザ特定手段，ユーザ評価入力手段，カテゴリ選択手段，施設選択手段）
３１    マイク（目的地設定手段，経路探索設定手段，カレントユーザ特定手段，ユーザ評価入力手段，カテゴリ選択手段，施設選択手段）
１００    車載用ナビゲーション装置
２００    センタ
２０１    データベース（ＤＢ）サーバ
２０２    制御回路（同類ユーザ実績データ抽出手段，目的地設定支援情報作成・出力手段，同類ユーザ評価データ抽出手段，評価支援情報作成・出力手段）
２０３ｄ  データベース（ＤＢ）（設定実績データベース，施設評価データベース）
２０４    通信ユニット（評価支援情報作成・出力手段）
３００    パーソナルコンピュータ（ＰＣ）
【図１】
2008204256.tif 000003
【図２】
2008204256.tif 000004
【図３】
2008204256.tif 000005
【図４】
2008204256.tif 000006
【図５】
2008204256.tif 000007
【図６】
2008204256.tif 000008
【図７】
2008204256.tif 000009
【図８】
2008204256.tif 000010
【図９】
2008204256.tif 000011
【図１０】
2008204256.tif 000012
【図１１】
2008204256.tif 000013
【図１２】
2008204256.tif 000014
【図１３】
2008204256.tif 000015
【図１４】
2008204256.tif 000016
【図１５】
2008204256.tif 000017
【図１６】
2008204256.tif 000018
【図１７】
2008204256.tif 000019
【図１８】
2008204256.tif 000020
【図１９】
2008204256.tif 000021
【図２０】
2008204256.tif 000022
【図２１】
2008204256.tif 000023
【図２２】
2008204256.tif 000024